【事件の表示】
　特許第６４６０９５４号発明「寝台装置」の特許異議申立事件について、次のとおり決定する。
【結　論】
　特許第６４６０９５４号の特許請求の範囲を訂正請求書に添付された訂正特許請求の範囲のとおり、訂正後の請求項〔１〜９〕について訂正することを認める。
　特許第６４６０９５４号の請求項１ないし８に係る特許を維持する。
　特許第６４６０９５４号の請求項９に係る特許についての特許異議の申立てを却下する。
【理　由】
第１　手続の経緯 
　特許第６４６０９５４号の請求項１〜９に係る特許についての出願は、平成２７年１０月６日に特許出願され、平成３１年１月１１日に本件特許の設定登録がされ、同年１月３０日に特許掲載公報が発行された。その後、その特許に対し、令和１年７月２９日に特許異議申立人株式会社プラッツ（以下「異議申立人」という。）により特許異議の申立てがされ、同年１０月２５日付けで取消理由が通知され、同年１２月２７日に意見書の提出及び訂正請求（以下「本件訂正請求」という。）がされ、令和２年１月１５日付けで手続補正指令（方式）がされ、同年１月２２日に請求書の趣旨を補正する手続補正書が提出され、同年１月２７日付けで異議申立人に対し訂正請求があった旨の通知がされ（特許法第１２０条の５第５項）、同年２月２６日に異議申立人より意見書が提出され、同年３月８日に異議申立人より先の意見書と共に提出された甲第１０号証の公報番号が誤りであり、それを取り下げ、正しい公報番号の甲第１１号証を提出する旨の上申書が提出されたものである。
第２　訂正の適否についての判断 
　本件訂正請求の趣旨は、特許第６４６０９５４号の特許請求の範囲を、本件訂正請求書に添付した訂正特許請求の範囲のとおり、訂正後の請求項１〜９について訂正することを求めるものであり、その訂正の内容は以下のとおりである。なお、下線部が訂正箇所である。
１　訂正の内容
（１）訂正事項１ 
　特許請求の範囲の請求項１に
「背ボトム、腰ボトム、脚ボトムを含む複数のボトムを備える寝台と、
　前記複数のボトムを支持する複数の第１フレームと、
　前記複数の第１フレームを支持する第２フレームと、
　前記寝台を移動させる駆動機構と、
　前記駆動機構に接続する制御部と、
　前記制御部に接続する報知部と、
を備え、
　前記報知部は、前記寝台を下降させる際に、前記寝台の床からの高さに基づいて異なるパターンのブザー音を発し、
　前記報知部は、
　　前記床からの前記寝台の高さが予め設定された第１高さのとき、第１発音期間を含むブザー音を発し、
　　前記床からの前記寝台の高さが前記第１高さよりも低い第２高さのとき、前記第１発音期間よりも短い第２発音期間を含むブザー音を発し、
　前記第２フレームには、平面視において前記第２フレームの第１方向に延びる第１部材が設けられ、前記第１部材の一部は湾曲しており、
　前記第２フレームは、前記第１方向に交差する第２方向に延びる２本の第２部材と、前記第２部材に設けられた脚部材とを備え、
　前記第２フレームに、前記第１方向に延びる第３部材が設けられ、前記第２方向に延びる２本の第１リンクが前記第３部材に設けられ、前記第２方向に延びる２本の第２リンクが前記第１部材に設けられ、
　それぞれの前記第１リンクと前記第２リンクを固定部材で連結し、
　前記第１部材は前記第３部材よりも電動ベッドの頭側に設けられ、
　前記寝台の床からの最低高さは２０ｃｍよりも小さい
ことを特徴とする電動ベッド。」
と記載されているのを
「背ボトム、腰ボトム、脚ボトムを含む複数のボトムを備える寝台と、
　前記複数のボトムを支持する複数の第１フレームと、
　前記複数の第１フレームを支持する第２フレームと、
　前記寝台を移動させる駆動機構と、
　前記駆動機構に接続する制御部と、
　前記制御部に接続する報知部と、
を備え、
　前記報知部は、前記寝台を下降させる際に、前記寝台の床からの高さに基づいて異なるパターンのブザー音を発し、
　前記報知部は、
　　前記床からの前記寝台の高さが予め設定された第１高さのとき、第１発音期間を含むブザー音を発し、
　　前記床からの前記寝台の高さが前記第１高さよりも低い第２高さのとき、前記第１発音期間よりも短い第２発音期間を含むブザー音を発し、
　前記第２フレームには、平面視において前記第２フレームの第１方向に延びる第１部材が設けられ、前記第１部材の一部は湾曲しており、
　前記第２フレームは、前記第１方向に交差する第２方向に延びる２本の第２部材と、前記第２部材に設けられた脚部材とを備え、
　前記第２フレームに、前記第１方向に延びる第３部材が設けられ、前記第２方向に延びる２本の第１リンクが前記第３部材に設けられ、前記第２方向に延びる２本の第２リンクが前記第１部材に設けられ、
　それぞれの前記第１リンクと前記第２リンクを固定部材で連結し、
　前記第１部材は前記第３部材よりも電動ベッドの頭側に設けられ、
　前記寝台の床からの最低高さは
１５ｃｍであり、
　
前記第１部材は、湾曲する部分を含む第１部分と、２つの第２部分とを含み、
　
前記第２部分それぞれは、下側で前記第１部分に接続され、上側で前記複数の第１フレームの１つに接続される
に訂正する。
（２）訂正事項２
　特許請求の範囲の請求項９を削除する。
　本件訂正請求は、一群の請求項〔１〜９〕に対して請求されたものである。
２　訂正の目的の適否、新規事項の有無、及び特許請求の範囲の拡張・変更の存否
（１）訂正事項１について
　訂正事項１のうち、訂正前の「前記寝台の床からの最低高さは２０ｃｍよりも小さい」を「前記寝台の床からの最低高さは１５ｃｍであり」とする訂正（以下「訂正事項１−１」という。）は、「寝台の床からの最低高さ」を限定するものであるから、特許請求の範囲の減縮を目的とするものである。
　また、訂正事項１のうち、「第１部材」について、「前記第１部材は、湾曲する部分を含む第１部分と、２つの第２部分とを含み、前記第２部分それぞれは、下側で前記第１部分に接続され、上側で前記複数の第１フレームの１つに接続される」とする訂正（以下「訂正事項１−２」という。）は、「第１部材」の構成を限定するものであるから、特許請求の範囲の減縮を目的とするものである。
　次に、訂正事項１−１は、訂正前の請求項９に記載された事項であり、訂正事項１−２は、願書に添付した明細書（以下「本件特許明細書」という。）の特に段落【００７８】及び願書に添付した図面の【図１０】の記載より当業者にとって自明な事項であるので、訂正事項１は、新規事項を追加するものではなく、実質上特許請求の範囲を拡張し、又は変更するものでもない。
（２）訂正事項２について
　訂正事項２は、訂正前の請求項９を削除するものであるから、特許請求の範囲の減縮を目的とするものであり、新規事項を追加するものではなく、実質上特許請求の範囲を拡張し、又は変更するものでもない。
３　異議申立人の主張について
　異議申立人は、令和２年２月２６日付けの意見書の「６．（１） １）」、「６．（２）１）」において、訂正事項１は実質上特許請求の範囲を変更するものである旨主張する。
　しかしながら、上記（１）のとおり、訂正事項１は、特許請求の範囲の記載自体を訂正することによって特許請求の範囲を変更するもの（例えば、請求項に記載した事項を別の意味に表す表現に入れ替えることによって特許請求の範囲をずらす訂正）や、発明の対象を変更する訂正ではなく、実質上特許請求の範囲を変更するものではないので、上記主張は採用できない。
　なお、異議申立人は、同意見書の「６．（１） ２）」、「６．（２） ２）」において、訂正後の特許請求の範囲各項に記載される発明は、進歩性を具備せず、独立特許要件を満たしていない旨も主張しているが、訂正前の全ての請求項が異議申立ての対象とされているため、訂正後の各請求項に対し独立特許要件は課されないので（特許法第１２０条の５第９項、同法第１２６条第７項参照。）、当該主張は、取消理由を有する旨の誤記であるものとして取り扱う。
４　小括
　以上のとおりであるから、本件訂正請求による訂正は、特許法第１２０条の５第２項ただし書第１号に掲げる事項を目的とするものであり、かつ、同条第９項において準用する同法第１２６条第５項及び第６項の規定に適合する。
　したがって、特許請求の範囲を、訂正請求書に添付された訂正特許請求の範囲のとおり、訂正後の請求項〔１〜９〕について訂正することを認める。
第３　訂正後の本件発明
　本件訂正請求により訂正された請求項１〜８に係る発明（以下それぞれ「本件発明１」等という。）は、訂正特許請求の範囲の請求項１〜８に記載された次の事項により特定されるとおりのものである。なお、上記「第２」のとおり請求項９は削除されている。
「【請求項１】
　背ボトム、腰ボトム、脚ボトムを含む複数のボトムを備える寝台と、
　前記複数のボトムを支持する複数の第１フレームと、
　前記複数の第１フレームを支持する第２フレームと、
　前記寝台を移動させる駆動機構と、
　前記駆動機構に接続する制御部と、
　前記制御部に接続する報知部と、
を備え、
　前記報知部は、前記寝台を下降させる際に、前記寝台の床からの高さに基づいて異なるパターンのブザー音を発し、
　前記報知部は、
　　前記床からの前記寝台の高さが予め設定された第１高さのとき、第１発音期間を含むブザー音を発し、
　　前記床からの前記寝台の高さが前記第１高さよりも低い第２高さのとき、前記第１発音期間よりも短い第２発音期間を含むブザー音を発し、
　前記第２フレームには、平面視において前記第２フレームの第１方向に延びる第１部材が設けられ、前記第１部材の一部は湾曲しており、
　前記第２フレームは、前記第１方向に交差する第２方向に延びる２本の第２部材と、前記第２部材に設けられた脚部材とを備え、
　前記第２フレームに、前記第１方向に延びる第３部材が設けられ、前記第２方向に延びる２本の第１リンクが前記第３部材に設けられ、前記第２方向に延びる２本の第２リンクが前記第１部材に設けられ、
　それぞれの前記第１リンクと前記第２リンクを固定部材で連結し、
　前記第１部材は前記第３部材よりも電動ベッドの頭側に設けられ、
　前記寝台の床からの最低高さは１５ｃｍであり、
　前記第１部材は、湾曲する部分を含む第１部分と、２つの第２部分とを含み、
　前記第２部分それぞれは、下側で前記第１部分に接続され、上側で前記複数の第１フレームの１つに接続されることを特徴とする電動ベッド。
【請求項２】
　前記ブザー音の前記パターンが、前記第１発音期間を含む第１パターンと、前記第２発音期間を含み前記第１パターンと異なる第２パターンとを含む
ことを特徴とする請求項１に記載の電動ベッド。
【請求項３】
　前記寝台が下降する際に、前記第１高さになると、前記寝台の下降が一旦停止し、前記報知部は前記第１パターンのブザー音を発し、
　前記寝台が再度下降する間、前記報知部が、前記第２パターンのブザー音を発し続ける
ことを特徴とする請求項２に記載の電動ベッド。
【請求項４】
　前記制御部に接続する操作部を更に備え、
　前記操作部は、前記寝台を下降させる下降スイッチと、前記寝台を上昇させる上昇スイッチとを含む
ことを特徴とする請求項３に記載の電動ベッド。
【請求項５】
　前記下降スイッチが押下されている間、前記寝台の前記床からの高さが前記第１高さよりも高いときに、前記寝台が下降する
ことを特徴とする請求項４に記載の電動ベッド。
【請求項６】
　前記操作部は、さらに、背上げスイッチと、背下げスイッチと、脚下げスイッチと、脚上げスイッチとを含む
ことを特徴とする請求項５に記載の電動ベッド。
【請求項７】
　前記操作部は、さらに、背上げスイッチと、背下げスイッチと、脚下げスイッチと、脚上げスイッチとを含む
ことを特徴とする請求項４に記載の電動ベッド。
【請求項８】
　前記報知部は、スピーカを備え、
　前記スピーカは、前記寝台の前記床からの高さに応じて異なるパターンの音を発する
ことを特徴とする請求項２に記載の電動ベッド。」
第４　取消理由通知に記載した取消理由について
１　取消理由の概要
　訂正前の請求項１〜９に係る特許に対して、当審が令和１年１０月２５日付けで特許権者に通知した取消理由の要旨は、次のとおりである。
　請求項１〜９に係る発明は、甲第１号証に記載された発明及び甲第２号証に記載された技術的事項（ないし周知・慣用技術）に基いて、当業者が容易に想到することができたものである。
　よって、請求項１〜９に係る特許は、特許法第２９条第２項の規定に違反してされたものであり、取り消されるべきものである。
２　引用文献
　甲第１号証：取扱説明書 在宅ケアベッド 楽匠Ｓシリーズ，
　　　　　　　パラマウントベッド株式会社
　甲第２号証：電動在宅看護ベッド ＮＸ−１・ＮＸ−２ 和夢彩 取扱説明
　　　　　　　書，シーホネンス株式会社
　ここで、甲第１号証の裏表紙の右下に「’１２．０３」との記載があり、西暦を略記する場合、「’」を付して下２桁で表記することは常識的なことであるから、甲第１号証は、本件出願前の２０１２年３月に公知になったものと推認される。また、甲第２号証の裏表紙の右下に「２０１４．０７．０１」との記載があり、本件出願前の２０１４年７月１日に公知になったものと推認される。
３　引用文献の記載事項及び記載された発明等 
（１）甲第１号証について 
ア　記載事項 
　甲第１号証には次の記載がある（かっこ書きで取扱説明書の頁番号を併記する。なお、手書きの文字等は、異議申立人が付加したものである。甲第２号証も同様。）。
（１ａ）２枚目（５頁）には次の図面及び説明文の記載がある。
（１ｂ）３枚目（２３頁）には次の図面及び説明文の記載がある。
（１ｃ）４枚目（２４頁）には次の図面及び説明文の記載がある。
（１ｄ）５枚目（２５頁）には次の図面及び説明文の記載がある。
  
（１ｅ）６枚目（４８頁）には次の図面及び説明文の記載がある。
  
（１ｆ）７枚目（４９頁）には次の図面及び説明文の記載がある。
（１ｇ）８枚目（５１頁）には次の図面及び説明文の記載ある。
（１ｈ）９枚目（５３頁）には次の図面及び説明文の記載ある。 
（１ｉ）１０枚目（５９頁）には次の図面及び説明文の記載がある。
　　　
　なお、一番下の図面に、異議申立人が引き出し線と「
頭側フレーム
  
（１ｊ）１１枚目（６０頁）には次の図面及び説明文の記載がある。
（１ｋ）１２枚目（６１頁）には次の図面及び説明文の記載がある。
（１ｌ）１３枚目（１０１頁）の下段の「電装品」の表の「形式」の欄には「リニアアクチュエーター（ＤＣモーター）」と記載されている。
イ　認定事項 
　上記アの記載事項に加え、以下の事項が認定できる。 
（１ｍ）上記（１ｌ）より、甲第１号証の「ベッド」は「電動ベッド」であることが明らかである。 
（１ｎ）上記（１ａ）より、「背ボトム」、「キューマボトム」、「膝ボトム」、「足ボトム」からなるものは、「寝台」といえるものである。
（１ｏ）上記（１ｇ）、（１ｊ）より、「頭側フレーム」の「リトラフレーム」は、「背ボトム」を支持するといえる。 
（１ｐ）上記（１ｉ）より、「頭側フレーム」の「リトラフレーム」及び「足側フレーム」は、「キューマボトム」を支持するといえる。
（１ｑ）上記（１ｋ）より、「足側フレーム」は、「膝ボトム」及び「足ボトム」を支持するといえる。 
（１ｒ）上記（１ｅ）〜（１ｇ）より、「ベースフレーム」は、「頭側フレーム」及び「足側フレーム」を支持するといえる。 
（１ｓ）上記（１ｃ）の「■低床位置のお知らせ」欄の図面に示される動作をするためには、ゆかからベッドのボトム上面までの高さを調節する「駆動機構」といえるものが備えられていることは技術的に明らかといえ、上記（１ｎ）も踏まえると、「寝台を移動させる駆動機構」を認定できる。
（１ｔ）上記（１ａ）、（１ｈ）の「コントロールボックス」の中には「制御部」といえるものが収められていることは技術的に明らかである。そして、当該「制御部」は、上記（１ｓ）の「駆動機構」に接続するものであることは、上記（１ａ）下方の「アクチュエーターケーブルのコネクター差込部」との記載及び電動ベッドの技術常識から明らかといえる。
  
（１ｕ）上記（１ａ）の「手元スイッチ」は、上記（１ｔ）の「制御部」に接続するものであることも、上記（１ａ）下方の「手元スイッチコネクター差込部」及び上記（１ｈ）下方の「手元スイッチコード」との記載から技術的に明らかといえる。そして、上記（１ｃ）の「■低床位置のお知らせ」欄の図面には「ピッ！」というブザー音と、「ピピッ！」、「ピピッ！」というブザー音が「手元スイッチ」からの吹き出し内に記載されていることから、「手元スイッチ」が「ブザー」を有することは明らかといえる。
  
（１ｖ）電動ベッドの技術常識を参酌し、上記（１ｓ）も併せると、上記（１ｅ）の一番下の図面に対し、当審が破線矢印及び枠囲みの文字を付加した次の参考図１に記載した部材が、甲第１号証に示されているといえる。
〔参考図１〕
（１ｗ）上記（１ｖ）の各部材について、「ベースフレームには、平面視において前記ベースフレームのベッド幅方向に延びる甲１第１部材が設けられ、前記ベースフレームは、前記ベッド幅方向に交差するベッド長さ方向に延びる２本の甲１第２部材と、前記甲１第２部材に設けられた脚座とを備え、前記ベースフレームに、前記第ベッド幅方向に延びる甲１第３部材が設けられ、前記ベッド長さ方向に延びる２本の甲１第１リンクが前記甲１第３部材に設けられ、前記ベッド長さ方向に延びる２本の甲１第２リンクが前記甲１第１部材に設けられ、前記甲１第１部材は前記甲１第３部材よりもベッドの頭側に設けられ」ていることが認定できる。
　さらに、上記（１ｖ）の各部材について、上記（１ｆ）も踏まえると、「甲１第１部材は、甲１第１部材第１部分と、２つの甲１第１部材第２部分とを含み、前記甲１第１部材第２部分それぞれは、下側で前記甲１第１部材第１部分に接続され、上側で足側フレームに接続される」ことも認定できる。
ウ　甲１発明
上記ア、イより、甲第１号証には次の発明（以下「甲１発明」という。）が記載されているものと認める。 
「背ボトム、キューマボトム、膝ボトム、足ボトムからなる寝台と、 
　前記背ボトムを支持する頭側フレームのリトラフレーム、前記キューマボトムを支持する前記頭側フレームの前記リトラフレーム及び足側フレーム、膝ボトム及び足ボトムを支持する前記足側フレームと、
　前記頭側フレーム及び前記足側フレームを支持するベースフレームと、 
　前記寝台を移動させる駆動機構と、 
　前記駆動機構に接続する制御部と、 
　前記制御部に接続する、ブザーを有する手元スイッチと、 
を備え、 
　ベッドの高さをさげる場合、ゆかからボトム上面までの高さが約２８ｃｍで、『ピッ！』というブザー音を鳴らして一旦停止し、
　再度、手元のスイッチの高ささげボタンを押すと、『ピピッ！』というブザー音を繰り返し鳴らしながら最低高さ（約２０ｃｍ）までさがり、
　前記ベースフレームには、平面視において前記ベースフレームのベッド幅方向に延びる甲１第１部材が設けられ、前記ベースフレームは、前記ベッド幅方向に交差するベッド長さ方向に延びる２本の甲１第２部材と、前記甲１第２部材に設けられた脚座とを備え、前記ベースフレームに、前記第ベッド幅方向に延びる甲１第３部材が設けられ、前記ベッド長さ方向に延びる２本の甲１第１リンクが前記甲１第３部材に設けられ、前記ベッド長さ方向に延びる２本の甲１第２リンクが前記甲１第１部材に設けられ、前記甲１第１部材は前記甲１第３部材よりもベッドの頭側に設けられ、
　ゆかからベッドのボトム上面までの高さを、約２０ｃｍから約６５ｃｍまで調節でき、
　前記甲１第１部材は、甲１第１部材第１部分と、２つの甲１第１部材第２部分とを含み、
　前記甲１第１部材第２部分それぞれは、下側で前記甲１第１部材第１部分に接続され、上側で足側フレームに接続される電動ベッド。」
（２）甲第２号証について
ア　記載事項
　甲第２号証には次の記載がある。 
（２ａ）２枚目の左側頁の上段には「『電動在宅介護ベッド 和夢シリーズ“彩”ＮＸ−１・ＮＸ−２』は、ベッドを使用する方の動作を助けること、介護する方の介護負担を軽減することを目的として作られたベッドです。」との記載がある。
（２ｂ）２枚目の左側頁の下段には「２．手元スイッチ操作でベストポジションを自在にコントロールできます。ボトム角度、高さ調節を無段階に調節できます。・・・」（なお、黒塗りの菱形は省略した。以下同様。）との記載がある。
（２ｃ）２枚目の右側頁の中段には「４．低床２５ｃｍ。（ゆかからボトム上面までの高さを示しています）・・・最高床高６７．５ｃｍ（マットレスを除く）まで上がり、介護する方の腰痛を予防し、介護の負担を軽減します。」、「５．高性能リニアアクチュエーターを採用しています。・・・万一の漏電にも安全な『低電圧ＤＣ２４Ｖシステム』。・・・」との記載がある。
（２ｄ）３枚目の左側頁（２１頁）及び右側頁（２２頁）には次の図面及び説明文の記載がある。
イ　認定事項 
　上記アの記載事項に加え、以下の事項が認定できる。
（２ｅ）上記（２ｂ）、（２ｃ）より、甲第２号証の「ベッド」は「電動ベッド」であることが明らかである。また、上記（２ｄ）の「ハイローベースユニット」は「電動ベッド」の高さ調節を行うものであることも技術的に明らかである。
  
（２ｆ）電動ベッドの技術常識を参酌し、上記（２ｅ）も併せると、上記（２ｄ）の「○１ハイローベースユニットに脚座を差し込む（４箇所）」（丸囲みの１は「○１」と代用表記とした。）欄の図面に対し、当審が破線矢印及び枠囲みの文字を付加した次の参考図２に記載した部材が、甲第２号証に示されているといえる。
  
〔参考図２〕  
     
 
（２ｇ）上記（２ｄ）の左側頁（２１頁）の一番上の「Ｐｏｉｎｔ」欄の図面の「あたま側」、「あし側」の記載も併せると、上記（２ｆ）の「甲２第１部材」は「甲２第３部材」よりも「あたま側」に設けられていることが把握できる。また、上記（２ｆ）より、当該「甲２第１部材」の一部が下方に湾曲していること、及び、「甲２第１部材第１部分」が下方に湾曲する部分を含むことが看取できる。
（２ｈ）「甲２第１リンク」と「甲２第２リンク」が交差する「甲２第１リンク」の箇所に、上記（２ｄ）において、丸形状に記載された部材（異議申立人が「ピン」と付記した部分）が記載されており、Ｘリンク機構の技術常識を勘案すれば、当該部材は両リンクを結合する部材であり、それにより両リンクが連結されていることは自明といえる。
（２ｉ）上記（２ｆ）〜（２ｈ）より、上記（２ｆ）、（２ｈ）の各部材について、「ハイローベースユニットには、平面視において前記ハイローベースユニットのベッド幅方向に延びる甲２第１部材が設けられ、前記甲２第１部材の一部は下方に湾曲しており、前記ハイローベースユニットは、前記ベッド幅方向に交差するベッド長さ方向に延びる２本の甲２第２部材と、前記甲２第２部材に設けられた脚座とを備え、前記ハイローベースユニットに、前記第ベッド幅方向に延びる甲２第３部材が設けられ、前記ベッド長さ方向に延びる２本の甲２第１リンクが前記甲２第３部材に設けられ、前記ベッド長さ方向に延びる２本の甲２第２リンクが前記甲２第１部材に設けられ、前記甲２第１部材は前記甲２第３部材よりもベッドの頭側に設けられ、それぞれの前記甲２第１リンクと前記甲２第２リンクを結合する部材で連結」すること、及び、「前記甲２第１部材は、下方に湾曲する部分を含む甲２第１部材第１部分と、２つの甲２第１部材第２部分とを含む」ことが認定できる。
（２ｈ）上記（２ｃ）の「４．」の記載から、「ボトム上面のゆかからの最低床高は２５ｃｍ」であることが認定できる。
ウ　甲２技術 
　上記ア、イより、甲第２号証には次の技術的事項（以下「甲２技術」という。）が記載されているものと認める。 
「ハイローベースユニットにより高さ調節を無段階に調節できる電動ベッドにおいて、
　前記ハイローベースユニットには、平面視において前記ハイローベースユニットのベッド幅方向に延びる甲２第１部材が設けられ、前記甲２第１部材の一部は下方に湾曲しており、前記ハイローベースユニットは、前記ベッド幅方向に交差するベッド長さ方向に延びる２本の甲２第２部材と、前記甲２第２部材に設けられた脚座とを備え、前記ハイローベースユニットに、前記第ベッド幅方向に延びる甲２第３部材が設けられ、前記ベッド長さ方向に延びる２本の甲２第１リンクが前記甲２第３部材に設けられ、前記ベッド長さ方向に延びる２本の甲２第２リンクが前記甲２第１部材に設けられ、前記甲２第１部材は前記甲２第３部材よりもベッドの頭側に設けられ、それぞれの前記甲２第１リンクと前記甲２第２リンクを結合する部材で連結し、
　ボトム上面のゆかからの最低床高は２５ｃｍであり、
　前記甲２第１部材は、下方に湾曲する部分を含む甲２第１部材第１部分と、２つの甲２第１部材第２部分とを含む」技術。
４　対比・判断
（１）本件発明１について
ア　対比
　本件発明１と甲１発明とを対比する。 
（ア）後者の「背ボトム」は前者の「背ボトム」に相当し、同様に、「キューマボトム」は「腰ボトム」に相当する。
　また、前者の「脚ボトム」について検討するに、具体的には「脚ボトム１８」は「膝ボトム１９」と「足ボトム２０」からなるものであるから（本件特許明細書の段落【００５５】）、後者の「膝ボトム」と「足ボトム」を併せたものは、前者の「脚ボトム」に相当するといえる。
　そうすると、後者の「背ボトム、キューマボトム、膝ボトム、足ボトムからなる寝台」は、前者の「背ボトム、腰ボトム、脚ボトムを含む複数のボトムを備える寝台」に相当するといえる。
（イ）前者の「前記複数のボトムを支持する複数の第１フレーム」について検討するに、具体的には「背ボトム１６」は「頭側フレーム３７」の「リトラフレーム３９」に固定されるものであり（本件特許明細書の段落【００６５】）、「腰ボトム１７」は「頭側フレーム３７」の「リトラフレーム３９」と「足側フレーム３８」の「固定部材４５」に固定されるものであり（同段落【００７０】、【００７５】）、「脚ボトム１８」は「足側フレーム３８」の「固定部材４５」に固定されるものである。
　そうすると、後者の「頭側フレーム」と「足側フレーム」を併せたものが、前者の「複数の第１フレーム」に相当するといえるから、後者の「前記背ボトムを支持する頭側フレームのリトラフレーム、前記キューマボトムを支持する前記頭側フレームの前記リトラフレーム及び足側フレーム、膝ボトム及び足ボトムを支持する前記足側フレーム」は、前者の「前記複数のボトムを支持する複数の第１フレーム」に相当するといえる。
（ウ）上記（イ）を踏まえると、後者の「ベースフレーム」は、前者の「第２フレーム」に相当するといえるから、後者の「前記頭側フレーム及び前記足側フレームを支持するベースフレーム」は、前者の「前記複数の第１フレームを支持する第２フレーム」に相当するといえる。
（エ）上記（ア）を踏まえると、後者の「前記寝台を移動させる駆動機構」は、前者の「前記寝台を移動させる駆動機構」に相当するといえ、同様に、「前記駆動機構に接続する制御部」は、前者の「前記駆動機構に接続する制御部」に相当するといえる。
（オ）後者の「ブザー」は、前者の「報知部」に相当する。そして、本件特許の請求項１には「報知部」の配置箇所の特定はない。
　そうすると、後者の「前記制御部に接続する、ブザーを有する手元スイッチ」は、前者の「前記制御部に接続する報知部」という事項を満たすといえる。
  
（カ）後者の「『ピッ！』というブザー音を鳴ら」すことと、「『ピピッ！』というブザー音を繰り返し鳴ら」すことは、異なるパターンのブザー音であることは明らかである。また、それぞれのブザー音は発音期間を有することは明らかであり、それぞれ、前者の「第１発音期間」、「第２発音期間」に相当する。また、後者の高さをさげるときの「ゆかからボトム上面までの高さが約２８ｃｍ」は、前者の「予め設定された第１高さ」に相当し、同様に、「ゆかからボトム上面までの高さが約２８ｃｍ」の高さから、「最低高さ（約２０ｃｍ）」までの高さは、「第１高さより低い第２高さ」に相当するといえる。
　そうすると、後者の 
「ベッドの高さをさげる場合、ゆかからボトム上面までの高さが約２８ｃｍで、『ピッ！』というブザー音を鳴らして一旦停止し、
　再度、手元のスイッチの高ささげボタンを押すと、『ピピッ！』というブザー音を繰り返し鳴らしながら最低高さ（約２０ｃｍ）までさがり」
ということと、前者の 
「前記報知部は、前記寝台を下降させる際に、前記寝台の床からの高さに基づいて異なるパターンのブザー音を発し、 
　前記報知部は、 
　　前記床からの前記寝台の高さが予め設定された第１高さのとき、第１発音期間を含むブザー音を発し、 
　　前記床からの前記寝台の高さが前記第１高さよりも低い第２高さのとき、前記第１発音期間よりも短い第２発音期間を含むブザー音を発し」
ているということとは、 
「前記報知部は、前記寝台を下降させる際に、前記寝台の床からの高さに基づいて異なるパターンのブザー音を発し、 
　前記報知部は、 
　　前記床からの前記寝台の高さが予め設定された第１高さのとき、第１発音期間を含むブザー音を発し、 
　　前記床からの前記寝台の高さが前記第１高さよりも低い第２高さのとき、第２発音期間を含むブザー音を発し」 
ているということにおいて共通するといえる。
（キ）後者の「ベッド幅方向」は前者の「第１方向」に相当し、以下同様に、「甲１第１部材」は「第１部材」に、「ベッド長さ方向」は「第２方向」に、「甲１第２部材」は「第２部材」に、「脚座」は「脚部材」に、「甲１第１リンク」は「第１リンク」に、「甲１第２リンク」は「第２リンク」にそれぞれ相当する。
　そうすると、上記（ウ）も踏まえると、後者の 
「前記ベースフレームには、平面視において前記ベースフレームのベッド幅方向に延びる甲１第１部材が設けられ、前記ベースフレームは、前記ベッド幅方向に交差するベッド長さ方向に延びる２本の甲１第２部材と、前記甲１第２部材に設けられた脚座とを備え、前記ベースフレームに、前記第ベッド幅方向に延びる甲１第３部材が設けられ、前記ベッド長さ方向に延びる２本の甲１第１リンクが前記甲１第３部材に設けられ、前記ベッド長さ方向に延びる２本の甲１第２リンクが前記甲１第１部材に設けられ、前記甲１第１部材は前記甲１第３部材よりもベッドの頭側に設けられ」
るということと、前者の 
「前記第２フレームには、平面視において前記第２フレームの第１方向に延びる第１部材が設けられ、前記第１部材の一部は湾曲しており、
　前記第２フレームは、前記第１方向に交差する第２方向に延びる２本の第２部材と、前記第２部材に設けられた脚部材とを備え、
　前記第２フレームに、前記第１方向に延びる第３部材が設けられ、前記第２方向に延びる２本の第１リンクが前記第３部材に設けられ、前記第２方向に延びる２本の第２リンクが前記第１部材に設けられ、
　それぞれの前記第１リンクと前記第２リンクを固定部材で連結し、 
　前記第１部材は前記第３部材よりも電動ベッドの頭側に設けられ」 
るということとは、 
「前記第２フレームには、平面視において前記第２フレームの第１方向に延びる第１部材が設けられ、 
　前記第２フレームは、前記第１方向に交差する第２方向に延びる２本の第２部材と、前記第２部材に設けられた脚部材とを備え、
　前記第２フレームに、前記第１方向に延びる第３部材が設けられ、前記第２方向に延びる２本の第１リンクが前記第３部材に設けられ、前記第２方向に延びる２本の第２リンクが前記第１部材に設けられ、
　前記第１部材は前記第３部材よりも電動ベッドの頭側に設けられ」 
るということにおいて共通するといえる。
（ク）後者の「甲１第１部材第１部分」は前者の「第１部分」に相当し、同様に、「甲１第１部材第２部分」は「第２部分」に相当する。
　そうすると、上記（イ）、（キ）も踏まえると、後者の
「前記甲１第１部材は、甲１第１部材第１部分と、２つの甲１第１部材第２部分とを含み、
　前記甲１第１部材第２部分それぞれは、下側で前記甲１第１部材第１部分に接続され、上側で足側フレームに接続される」
ということと、前者の
「前記第１部材は、湾曲する部分を含む第１部分と、２つの第２部分とを含み、
　前記第２部分それぞれは、下側で前記第１部分に接続され、上側で前記複数の第１フレームの１つに接続される」
ということとは、
「前記第１部材は、第１部分と、２つの第２部分とを含み、
　前記第２部分それぞれは、下側で前記第１部分に接続され、上側で前記複数の第１フレームの１つに接続される」
ということにおいて共通するといえる。
（ケ）したがって、両者の一致点、相違点は次のとおりと認める。
〔一致点〕
「背ボトム、腰ボトム、脚ボトムを含む複数のボトムを備える寝台と、
　前記複数のボトムを支持する複数の第１フレームと、
　前記複数の第１フレームを支持する第２フレームと、
　前記寝台を移動させる駆動機構と、
　前記駆動機構に接続する制御部と、
　前記制御部に接続する報知部と、
備え、
　前記報知部は、前記寝台を下降させる際に、前記寝台の床からの高さに基づいて異なるパターンのブザー音を発し、
　前記報知部は、
　　前記床からの前記寝台の高さが予め設定された第１高さのとき、第１発音期間を含むブザー音を発し、
　　前記床からの前記寝台の高さが前記第１高さよりも低い第２高さのとき、第２発音期間を含むブザー音を発し、
　前記第２フレームには、平面視において前記第２フレームの第１方向に延びる第１部材が設けられ、
　前記第２フレームは、前記第１方向に交差する第２方向に延びる２本の第２部材と、前記第２部材に設けられた脚部材とを備え、
　前記第２フレームに、前記第１方向に延びる第３部材が設けられ、前記第２方向に延びる２本の第１リンクが前記第３部材に設けられ、前記第２方向に延びる２本の第２リンクが前記第１部材に設けられ、
　前記第１部材は前記第３部材よりも電動ベッドの頭側に設けられ、
　前記第１部材は、第１部分と、２つの第２部分とを含み、
　前記第２部分それぞれは、下側で前記第１部分に接続され、上側で前記複数の第１フレームの１つに接続される電動ベッド。」
  
〔相違点１〕 
 「第１発音期間」、「第２発音期間」の関係について、本件発明１が、「第１発音期間よりも短い第２発音期間を含む」というものであるのに対し、甲１発明では、「『ピッ！』というブザー音」における発音期間と「『ピピッ！』というブザー音」における発音期間の長短関係が明らかでない点。
〔相違点２〕
 「第２フレーム」について、本件発明１が、「前記第１部材の一部は湾曲しており」、「第１部材」の「第１部分」は「湾曲する部分を含む」ものであり、「それぞれの前記第１リンクと前記第２リンクを固定部材で連結し」ているのに対し、甲１発明の「甲１第１部材」は湾曲しておらず、「甲１第１部材」の「甲１第１部材第１部分」は湾曲する部分を含まず、「甲１第１リンク」と「甲１第２リンク」を固定部材で連結していることの特定がない点。
〔相違点３〕 
　本件発明１が、「前記寝台の床からの最低高さは１５ｃｍであ」るのに対し、甲１発明は、「ゆかからベッドのボトム上面までの高さを、約２０ｃｍから約６５ｃｍまで調節できる」点。
イ　判断
　事案に鑑み、相違点２及び３について検討する。
（ア）まず、相違点３に係る本件発明１の「寝台の床からの最低高さ」について検討するに、本件特許明細書の段落【００３５】に「寝台２００の下降可能な下限の高さである最低床高」、同【００３９】に「寝台２００の床からの高さが最低床高となると」、同【００５０】に「寝台２００の床からの高さが下降可能な高さの下限である最低床高となったかを判断する」との記載があるが、寝台（背ボトム、腰ボトム、脚ボトムを含む複数のボトムを備えるものである。）の高さ方向におけるどの位置を基準としているのか明確な定義はされていない。
　ここで、本件発明１と同一技術分野の商品の取扱説明書である甲第１号証や甲第２号証において、床高について、床からボトム上面の高さと定義していること（記載事項（１ｃ）、（２ｃ）参照。）、及び、令和１年１２月２７日付けの意見書の６頁１８〜１９行において「例えば、寝台の床からの最低高さが２０ｃｍの甲１発明を寝台の床からの高さを１５ｃｍの本件発明１に変更できるか具体的に検討する。」と特許権者が主張していることから、本件発明１における「寝台の床からの最低高さ」とは、甲第１号証や甲第２号証の定義と同様のものと解される。
　そうすると、上記相違点３は、「『寝台の床からの最低高さ』について、本件発明１が、『１５ｃｍ』であるのに対し、甲１発明は、『約２０ｃｍ』である点。」と言い換えることができる。
（イ）次に、相違点２に関して、甲１発明への甲２技術の適用について検討する。
　甲２技術の「ハイローベースユニット」は、「甲２第１部材」、「甲２第３部材」、「甲２第１リンク」、「甲２第２リンク」が設けられるところ、これらの部材が設けられる「フレーム」といえるものを有することは明らかであり、それは本件発明１の「第２フレーム」に相当する。
　そして、後者の「ベッド幅方向」は前者の「第１方向」に相当し、以下同様に、「甲２第１部材」は「第１部材」に、「ベッド長さ方向」は「第２方向」に、「甲２第２部材」は「第２部材」に、「甲２第３部材」は「第３部材」に、「脚座」は「脚部材」に、「甲２第１リンク」は「第１リンク」に、「甲２第２リンク」は「第２リンク」に、「結合する部材」は「固定部材」に、「甲２第１部材第１部分」は「第１部分」に、「甲２第１部材第２部分」は「第２部分」にそれぞれ相当する。
　そうすると、甲２技術は、上記相違点２に係る本件発明１の、「前記第１部材の一部は湾曲しており」、「第１部材」の「第１部分」は「湾曲する部分を含む」ものであり、「それぞれの前記第１リンクと前記第２リンクを固定部材で連結し」ているという発明特定事項に相当する構成を一応有しているといえる。
　しかしながら、甲２技術の「甲２第１部材の一部」及び「甲２第１部材第１部分」が湾曲する具体的な方向は「下方」であって、甲１発明に甲２技術を適用したのであれば、「甲１第１部材の一部」は下方に湾曲し、「甲１第１部材」の「甲１第１部材第１部分」は下方に湾曲する部分を含むことになる。
　ここで、相違点３に係る「寝台の床からの最低高さ」を、甲１発明の「約２０ｃｍ」から本件発明１の「１５ｃｍ」に変更すること、すなわち、更なる低床化を図ることを検討すると、甲１発明の「甲１第１部材」は「前記甲１第１部材第２部分それぞれは、下側で前記甲１第１部材第１部分に接続され、上側で足側フレームに接続される」ものであるところ、上記適用によって「甲１第１部材第１部分」に生じた下方に湾曲する部分は、「甲１第１部材第１部分」よりさらに下方に突出する部分となるため、「甲１第１部材」の下方にある部材との干渉の可能性を考慮すれば、上記適用は低床化に不利となることは構成上自明のことといえる（なお、甲２技術の「最低床高」は「２５ｃｍ」であり、甲１発明よりさらに高いものである。）。
（ウ）以上検討したとおりであるから、甲１発明において、寝台の床からの最低高さを「約２０ｃｍ」から「１５ｃｍ」に変更しようとする際に、甲１発明に甲２技術を採用しようとする動機付けがあるとはいえず、むしろ阻害要因があるともいえる。
　したがって、甲１発明において、上記相違点２、３の両者に係る本件発明１の発明特定事項を有するものとすることは、当業者であっても容易になし得たとはいえない。
　よって、他の相違点について検討するまでもなく、本件発明１は、甲１発明及び甲２技術（ないし周知・慣用技術）に基いて、当業者が容易に発明をすることができたものではなく、特許法第２９条第２項に規定する要件を満たしていないとはいえない。
（２）本件発明２〜８について
　本件発明２〜８は、本件発明１の発明特定事項を全て含み、さらに限定を加えたものであるので、本件発明１と同様の理由により、甲１発明（ないし甲第１号証にさらに記載された発明）及び甲２技術（ないし周知・慣用技術）に基いて当業者が容易に発明をすることができたものとはいえない。
第５　むすび
　以上のとおりであるから、取消理由通知に記載した取消理由及び特許異議申立書に記載した特許異議申立理由によっては、本件請求項１〜８に係る特許を取り消すことはできない。
　また、他に本件請求項１〜８に係る特許を取り消すべき理由を発見しない。
　また、請求項９に係る特許は、上記のとおり、訂正により削除された。これにより、異議申立人による特許異議の申立てについて、請求項９に係る申立ては、申立ての対象が存在しないものとなったため、特許法第１２０条の８第１項で準用する同法第１３５条の規定により却下する。
　よって、結論のとおり決定する。
【異議決定日】
令和２年３月１７日（２０２０．３．１７）
【訂正の要旨】
審決（決定）の【理由】欄参照。
（５７）【特許請求の範囲】
　【請求項１】
　背ボトム、腰ボトム、脚ボトムを含む複数のボトムを備える寝台と、
　前記複数のボトムを支持する複数の第１フレームと、
　前記複数の第１フレームを支持する第２フレームと、
　前記寝台を移動させる駆動機構と、
　前記駆動機構に接続する制御部と、
　前記制御部に接続する報知部と、
を備え、
　前記報知部は、前記寝台を下降させる際に、前記寝台の床からの高さに基づいて異なるパターンのブザー音を発し、
　前記報知部は、
　前記床からの前記寝台の高さが予め設定された第１高さのとき、第１発音期間を含むブザー音を発し、
　前記床からの前記寝台の高さが前記第１高さよりも低い第２高さのとき、前記第１発音期間よりも短い第２発音期間を含むブザー音を発し、
　前記第２フレームには、平面視において前記第２フレームの第１方向に延びる第１部材が設けられ、前記第１部材の一部は湾曲しており、
　前記第２フレームは、前記第１方向に交差する第２方向に延びる２本の第２部材と、前記第２部材に設けられた脚部材とを備え、
　前記第２フレームに、前記第１方向に延びる第３部材が設けられ、前記第２方向に延びる２本の第１リンクが前記第３部材に設けられ、前記第２方向に延びる２本の第２リンクが前記第１部材に設けられ、
　それぞれの前記第１リンクと前記第２リンクを固定部材で連結し、
　前記第１部材は前記第３部材よりも電動ベッドの頭側に設けられ、
　前記寝台の床からの最低高さは
１５ｃｍであり
　
前記第１部材は、湾曲する部分を含む第１部分と、２つの第２部分とを含み、
　前記第２部分それぞれは、下側で前記第１部分に接続され、上側で前記複数の第１フレームの１つに接続される
　【請求項２】
　前記ブザー音の前記パターンが、前記第１発音期間を含む第１パターンと、前記第２発音期間を含み前記第１パターンと異なる第２パターンとを含む
ことを特徴とする請求項１に記載の電動ベッド。
　【請求項３】
　前記寝台が下降する際に、前記第１高さになると、前記寝台の下降が一旦停止し、前記報知部は前記第１パターンのブザー音を発し、
　前記寝台が再度下降する間、前記報知部が、前記第２パターンのブザー音を発し続ける
ことを特徴とする請求項２に記載の電動ベッド。
　【請求項４】
　前記制御部に接続する操作部を更に備え、
　前記操作部は、前記寝台を下降させる下降スイッチと、前記寝台を上昇させる上昇スイッチとを含む
ことを特徴とする請求項３に記載の電動ベッド。
　【請求項５】
　前記下降スイッチが押下されている間、前記寝台の前記床からの高さが前記第１高さよりも高いときに、前記寝台が下降する
ことを特徴とする請求項４に記載の電動ベッド。
　【請求項６】
　前記操作部は、さらに、背上げスイッチと、背下げスイッチと、脚下げスイッチと、脚上げスイッチとを含む
ことを特徴とする請求項５に記載の電動ベッド。
　【請求項７】
　前記操作部は、さらに、背上げスイッチと、背下げスイッチと、脚下げスイッチと、脚上げスイッチとを含む
ことを特徴とする請求項４に記載の電動ベッド。
　【請求項８】
　前記報知部は、スピーカを備え、
　前記スピーカは、前記寝台の前記床からの高さに応じて異なるパターンの音を発する
ことを特徴とする請求項２に記載の電動ベッド。
　【請求項９】（削除）